(57)【要約】      （修正有）【課題】簡便に調整及び操作ができるリブジョイントプライヤーを提供する。【解決手段】第１本体１０と、第２本体２０と、支軸部材３０とを備える。第１本体は、ハンドル１１と、顎部１２と、第１本体を貫通して設けられてこれにより装着用凹部、回動孔及び貫通孔を有する一対の板状連結部１４を形成する長尺状貫通スロット１３とを備える。第２本体は、第１本体に回動可能に連結されており、ハンドル２１と、顎部２２と調整孔２３とを備える。調整孔は、第２本体を貫通して設けられており、長尺状貫通スロットと連通する。支軸部材は、第１本体に移動可能に連結されており、第２本体と選択的に係合し、かつ調整孔、回動孔及び装着用凹部の中に移動可能に装着される係合具と、係合具に固く連結される押しボタン３２と、係合具の周りに装着されるとともに、装着用凹部の中に配設され、かつ押しボタンと接する戻しバネとを備える。【選択図】図１
0003189578.tif 000002
【実用新案登録請求の範囲】
【請求項１】
第１本体と、この第１本体に移動可能に連結される支軸部材と、この支軸部材に選択的に係合されて上記第１本体に回動可能に連結される第２本体とを備えるリブジョイントプライヤーであって、
上記第１本体が、
後部に設けられるハンドルと、
前部に設けられる顎部と、
上記顎部の近傍から側面方向に貫通され、前後方向に細長に形成される長尺状貫通スロットと、
この長尺状貫通スロットの上面側に設けられる第１板状連結部と、
この長尺状貫通スロットの下面側に設けられる第２板状連結部と、
上記第１板状連結部の外面に設けられる装着用凹部と、
上記装着用凹部の底面及び上記長尺状貫通スロットの上面を貫通する回動孔と、
上記第２板状連結部の内面及び外面を貫通し、上記回動孔と同軸上に形成される貫通孔と
を備え、
上記第２本体が、
後部に設けられるハンドルと、
前部に設けられ、上記第１本体の顎部と対向する顎部と、
第２本体の顎部の近傍から上下方向に貫通され、上記第１板状連結部及び第２板状連結部の間に配設されて上記長尺状貫通スロットの中で位置決めされ、かつ上記長尺状貫通スロット、回動孔及び貫通孔と連通される調整孔と、
上記調整孔の内面に設けられ、互いに対向する一対の歯竿と
を備え、
上記支軸部材が、
底部、
上記装着用凹部の中に配設される頂部、
上記底部及び頂部の間に設けられ、上記一対の歯竿と対向可能に配設される一対の平らな対向面、
上記一対の対向面の下方の上記底部から外側に突出され、上記第２本体に選択的に接する抜け止め部、及び
上記一対の対向面から突設され、かつ上記一対の歯竿と選択的に係合する一対の多重係合歯
を有し、上記貫通孔、調整孔、回動孔及び装着用凹部の中に移動可能に装着される係合具と、
上記係合具の頂部に固く連結され、上記装着用凹部の中に配設されるとともに、この装着用凹部を覆う押しボタンと、
上記係合具の周りに装着されるとともに、上記装着用凹部の中に配設され、かつ上記押しボタンの底面に接することで、上記抜け止め部が上記第２本体に接し、かつ上記一対の多重係合歯が上記一対の歯竿と係合するように構成する戻しバネと
を備えるリブジョイントプライヤー。
【請求項２】
上記係合具が、上記頂部の軸方向に装着孔を有し、
上記押しボタンが、底面から突設される装着棒を有し、
この装着棒が、上記装着孔に固く挿着されることで、上記押しボタンが上記係合具に固く連結される請求項１に記載のリブジョイントプライヤー。
【請求項３】
上記装着用凹部の直径が上記回動孔の直径よりも大きく、上記貫通孔の直径が上記装着用凹部の直径よりも小さくかつ上記回動孔の直径よりも大きい請求項１又は請求項２に記載のリブジョイントプライヤー。
【考案の詳細な説明】
【技術分野】
【０００１】
本考案は、リブジョイントプライヤーに関し、より具体的には簡便に調整及び操作ができるリブジョイントプライヤーに関する。
【背景技術】
【０００２】
従来、リブジョイントプライヤーは、チューブ又はパイプを挟持ないし切断するために使用され、一対の本体、回動エレメント及び調整用保持機構を備える。これらの本体は、この回動エレメントによって互いに回動可能に連結されており、各本体は顎部及びハンドルを備える。加えて、一対の本体のうちの一方は、その本体を貫通して設けられ、かつ回動エレメントが装着される長尺状の調整孔を備える。上記調整用保持機構は、回動エレメントに連結され、本体の周りに装着され、長尺状の調整孔と係合する。さらに、この調整用保持機構は円形プレート、Ｕ字形フレーム又は四辺形の板材であることができる。
【０００３】
この従来のリブジョイントプライヤーの使用に関し、調整用保持機構が押されると、この調整用保持機構は長尺状の調整孔から解放される。そのあと、長尺状の調整孔を備える一方の本体は、回動エレメントに対して移動する長尺状の調整孔によって、他方の本体に対して移動することができ、これによって一対の本体の一対の顎部が互いに近づくか又は互いに離れるように移動することができる。その結果、一対の本体の一対の顎部間の距離を調整することができ、これにより一対の本体の一対の顎部が様々な直径をもつチューブを挟持ないし切断することができる。しかしながら、この従来のリブジョイントプライヤーの調整用保持機構は本体の外部に装着されているので、パイプラインと干渉するか又はパイプラインに引っかかる可能性があり、また上記調整用保持機構は他の部品によって本体の周りに装着されており、これは従来のリブジョイントプライヤーの製造のための時間及び費用を増大させることになる。
【考案の概要】
【考案が解決しようとする課題】
【０００４】
本考案は、簡便に調整及び操作ができるリブジョイントプライヤーを提供することを主な目的とする。
【課題を解決するための手段】
【０００５】
本考案に係るリブジョイントプライヤーは、第１本体と、第２本体と、支軸部材とを備える。この第１本体は、ハンドルと、顎部と、長尺状貫通スロットとを備える。この長尺状貫通スロットは、第１本体の側面方向に貫通して設けられており、これにより装着用凹部及び回動孔が形成される第１板状連結部と、貫通孔が形成される第２板状連結部とが形成される。第２本体は、第１本体に回動可能に連結されて、ハンドルと、顎部と、調整孔とを備える。この調整孔は、第２本体を貫通して設けられており、上記長尺状貫通スロット、回動孔及び貫通孔と連通される。上記支軸部材は、第１本体に移動可能に連結されており、第２本体と選択的に係合し、かつ上記貫通孔、調整孔、回動孔及び装着用凹部の間を移動可能に配設されている係合具と、この係合具に固く連結されている押しボタンと、装着用凹部の中に配設されており、係合具の周りに装着されて、かつ押しボタンと接する戻しバネとを備える。
【０００６】
本考案の他の目的、利点及び新規な特徴は、添付の図面と合わせて考察すれば以下の詳細な説明からより明らかになるであろう。
【図面の簡単な説明】
【０００７】
【図１】本考案に係るリブジョイントプライヤーを示す斜視図である。
【図２】図１のリブジョイントプライヤーを示す分解斜視図である。
【図３】図１のリブジョイントプライヤーの一部断面を含む拡大側面図である。
【図４】図３のリブジョイントプライヤーの一部断面を含む操作側面図である。
【図５】図１のリブジョイントプライヤーの一部断面を含む操作上面図である。
【図６】本考案に係るリブジョイントプライヤーの別の斜視図である。
【考案を実施するための形態】
【０００８】
図１〜３に示すように、本考案に係るリブジョイントプライヤーは、第１本体１０と、第２本体２０と、支軸部材３０とを備える。
【０００９】
第１本体１０は、前部と、後部と、一対の側面と、ハンドル１１と、顎部１２と、長尺状貫通スロット１３とを備える。ハンドル１１は、第１本体１０の後部に設けられる。顎部１２は、第１本体１０の前部に設けられる。顎部１２は、第１本体１０のハンドル１１とともに設けられている。長尺状貫通スロット１３は、第１本体１０の顎部１２の近傍から第１本体１０の側面方向に貫通され、前後方向に細長に形成されている。これにより、長尺状貫通スロット１３の両側の第１本体１０に一対の板状連結部１４（長尺状貫通スロット１３の上面側に設けられる第１板状連結部１４、及び長尺状貫通スロット１３の下面側に設けられる第２板状連結部１４）が形成される。
【００１０】
第１板状連結部１４は外面と、内面と、第１板状連結部１４の外面に設けられている装着用凹部１４１と、第１板状連結部１４の内面を貫通して設けられており、かつ装着用凹部１４１の底面及び長尺状貫通スロット１３の上面を貫通する回動孔１４２とを備える。装着用凹部１４１の直径は回動孔１４２の直径よりも大きい。第２板状連結部１４は、第２板状連結部１４の内面及び外面を貫通し、かつ回動孔１４２と同軸上に形成される貫通孔１４３を備える。貫通孔１４３の直径は装着用凹部１４１の直径よりも小さくかつ回動孔１４２の直径よりも大きい。
【００１１】
第２本体２０は、第１本体１０に回動可能に連結されており、前部と、後部と、ハンドル２１と、顎部２２と、調整孔２３とを備える。ハンドル２１は第２本体２０の後部に設けられている。顎部２２は、第２本体２０の前部に設けられている。顎部２２は、第２本体２０のハンドル２１とともに設けられており、長尺状貫通スロット１３を通って延在し、これにより第１本体１０の顎部１２と対向する。調整孔２３は、第２本体２０の顎部２２の近傍から上下方向に貫通して設けられ、一対の板状連結部１４の間に配設されて長尺状貫通スロット１３の中で位置決めされ、かつ第１本体１０の長尺状貫通スロット１３、回動孔１４２及び貫通孔１４３と連通される。さらに、第２本体２０は、調整孔２３の内面に設けられ、かつ互いに対向する一対の歯竿２３１を備える。
【００１２】
支軸部材３０は、第１本体１０に移動可能に連結されており、第２本体２０と選択的に係合し、かつ係合具３１と、押しボタン３２と、戻しバネ３３とを備える。係合具３１は、貫通孔１４３、調整孔２３、回動孔１４２及び装着用凹部１４１の中に移動可能に装着され、かつ底部と、頂部と、一対の対向面と、抜け止め部３１１と、一対の多重係合歯３１２と、装着孔３１３とを備える。係合具３１の頂部は第１本体１０の装着用凹部１４１の中に配設される。一対の対向面は、平らであり、係合具３１の頂部と底部との間で係合具３１に設けられ、調整孔２３の一対の歯竿２３１と対向可能に配設される。
【００１３】
抜け止め部３１１は、係合具３１の一対の対向面の下方の係合具３１の底部に設けられており、詳細には係合具３１の一対の対向面の下方の係合具３１の底部から外側に突出され、かつ第２本体２０に選択的に接する。多重係合歯３１２は、係合具３１の一対の対向面に設けられており、詳細には係合具３１の一対の対向面から突設され、かつ第２本体２０の一対の歯竿２３１と選択的に係合する。装着孔３１３は、係合具３１の頂部から軸方向に設けられている。
【００１４】
押しボタン３２は、係合具３１の頂部に固く連結され、装着用凹部１４１の中に配設されるとともに、第１本体１０の装着用凹部１４１を覆う。押しボタン３２は、底面と、装着棒３２１とを備える。装着棒３２１は、押しボタン３２の底面に設けられており、詳細には押しボタン３２の底面から突設されている。装着棒３２１は、係合具３１の装着孔３１３に固く挿着され、これにより押しボタン３２が係合具３１に固く連結される。戻しバネ３３は、係合具３１の周りに装着されるとともに、第１本体１０の装着用凹部１４１の中に配設され、かつ押しボタン３２の底面に接することで、抜け止め部３１１が第２本体２０に接し、かつ一対の多重係合歯３１２が第２本体２０の一対の歯竿２３１と係合するように構成される。
【００１５】
本考案に係るリブジョイントプライヤーを使用して様々な直径をもつチューブを挟持ないし切断するときには、図４に示すように、押しボタン３２を第１本体１０の装着用凹部１４１へと内向きに押し、戻しバネ３３を圧縮する。そのとき、係合具３１は、押しボタン３２によって押されることになり、本体１０、２０に対して移動し、多重係合歯３１２は第２本体２０の歯竿２３１から解放される。そのとき、図５及び図６に示すように、第２本体２０の調整孔２３を係合具３１に対して移動させることができ、これにより本体１０、２０の顎部１２、２２を互いに近づくか又は互いに離れるように移動させることができる。その結果、様々な直径をもつチューブを挟持ないし切断するために、本体１０、２０の顎部１２、２２の間の距離を調整することができる。顎部１２、２２間の距離を調整したあと、押しボタン３２を放すと、圧縮された戻しバネ３３の弾力によって押しボタン３２が押されることになり、押しボタン３２は元の位置へと戻り、これにより係合具３１の多重係合歯３１２が第２本体２０の歯竿２３１と係合するようになり、かつ係合具３１の抜け止め部３１１が第２本体２０に接するようになる。そのあと、チューブを簡便かつ容易に挟持ないし切断するように本体１０、２０の顎部１２、２２の間の距離を調整し、本体１０、２０の連結位置を第２本体２０の一対の歯竿２３１と係合する係合具３１の一対の多重係合歯３１２によって固定する。
【００１６】
本考案に係るリブジョイントプライヤーによれば、押しボタン３２を押すことにより本体１０、２０の顎部１２、２２の間の距離を簡便に調整して、様々な直径をもつチューブを挟持ないし切断することができる。加えて、第２本体２０を第１本体１０に回動可能に連結するために、及び本体１０、２０の顎部１２、２２の間の距離を調整するために、支軸部材３０が本体１０、２０の間に連結されている。それゆえ、支軸部材３０は、本体１０、２０に対して回動及び調整効果をもたらすことができ、これによって構造が簡素化でき、かつ本考案に係るリブジョイントプライヤーの製造費用を低減することもできる。さらに、支軸部材３０の係合具３１、押しボタン３２及び戻しバネ３３は、本体１０、２０から露出することなく本体１０、２０中に配設されており、これにより、支軸部材３０がパイプラインと干渉するか又はパイプラインに引っかかることを防止することができる。
【００１７】
本考案の構造及び特徴部の要部とともに本考案の多くの特徴及び利点を上記の説明の中で示してきたが、本開示は例示にすぎない。添付の実用新案登録請求の範囲を表現する用語の広い一般的な意味が示す全範囲に及ぶ本考案の技術思想の範囲内で、要部において、とりわけ各部の形状、サイズ及び配置に関して変更が加えられてもよい。
【符号の説明】
【００１８】
１０  第１本体
１１  ハンドル
１２  顎部
１３  長尺状貫通スロット
１４  板状連結部
２０  第２本体
２１  ハンドル
２２  顎部
２３  調整孔
３０  支軸部材
３１  係合具
３２  押しボタン
３３  戻しバネ
１４１  装着用凹部
１４２  回動孔
１４３  貫通孔
２３１  歯竿
３１１  抜け止め部
３１２  多重係合歯
３１３  装着孔
３２１  装着棒
【図１】
0003189578.tif 000003
【図２】
0003189578.tif 000004
【図３】
0003189578.tif 000005
【図４】
0003189578.tif 000006
【図５】
0003189578.tif 000007
【図６】
0003189578.tif 000008